(57)【要約】      （修正有）【課題】一次側で変圧器電流信号を取得し、出力電流を算出して、安定的に制御するＬＬＣ構造でのＰＳＲ電流制御システムを提供する。【解決手段】電圧極性変換回路と、電流信号サンプリング回路と、電流クロスオーバー検知回路と、ゼロ電流検知回路と、電流積分回路とを備えるＬＬＣ構造でのＰＳＲ電流制御システムであって、電圧極性変換回路がＬＬＣ変圧器の一次側から電圧信号を取得するとともに正電圧信号を出力した後、電流積分回路が、電流信号サンプリング回路が出力した電流入力信号、電流クロスオーバー検知回路が出力したゼロ点電流点、ゼロ電流検知回路が出力したゼロ電流状態をそれぞれ取得し、ゼロ点電流点及びゼロ電流状態に基づいて、電流入力信号の最低電流レベルをゼロ点電流にまで上昇させて、電流積分波形を生成するとともに積分後に出力電流を生成し、ＬＬＣ変圧器が、二次側の出力状態を制御するための出力電流を直接一次側から取得する。【選択図】図１
2019080415.tif 000002
【特許請求の範囲】
【請求項１】
ＬＬＣ構造でのＰＳＲ電流制御システムであって、
予め設けられたＬＬＣ変圧器の一次側に電気的に接続されて、電圧信号中の負電圧を正電圧に変換するとともに正電圧信号を出力する電圧極性変換回路と、
前記電圧極性変換回路に電気的に接続されており、正電圧信号を受取って電流入力信号を取得する電流信号サンプリング回路と、
前記電圧極性変換回路に電気的に接続されており、正電圧信号を受取るとともにゼロ点電流点を算出する電流クロスオーバー検知回路と、
前記ＬＬＣ変圧器の一次側に電気的に接続されており、ゼロ電流状態を検知するゼロ電流検知回路と、
前記電流信号サンプリング回路、電流クロスオーバー検知回路及びゼロ電流検知回路にそれぞれ電気的に接続されており、電流入力信号、ゼロ点電流点及びゼロ電流状態を受取って、ゼロ点電流点及びゼロ電流状態に基づいて、電流入力信号の最低電流レベルをゼロ点電流点にまで上昇させて、電流積分波形を生成するとともに積分後に出力電流を生成し、ＬＬＣ変圧器が、二次側の出力状態を制御するための出力電流を直接一次側で取得する電流積分回路と、を少なくとも備える、ことを特徴とするＬＬＣ構造でのＰＳＲ電流制御システム。
【請求項２】
前記ゼロ電流検知回路が前記ＬＬＣ変圧器に予め設けられたゼロ電位ノードに電気的に接続されている、ことを特徴とする請求項１に記載のＬＬＣ構造でのＰＳＲ電流制御システム。
【請求項３】
前記電流積分回路が予め設けられたＬＥＤ駆動回路に電気的に接続されている、ことを特徴とする請求項１に記載のＬＬＣ構造でのＰＳＲ電流制御システム。
【発明の詳細な説明】
【技術分野】
【０００１】
本発明はＬＬＣ構造でのＰＳＲ電流制御システムに関し、特に、一次側で変圧器電流信号を取得し、出力電流を推算することで、安定的に制御するＬＬＣ構造でのＰＳＲ電流制御システムを達成するものである。
【背景技術】
【０００２】
近年、民生用電子製品及びＬＥＤ駆動回路の市場は絶えず成長しており、電源コンバータにおいては省電力で小型化が必要となってきている。ＬＬＣ構造はすでに高効率の電圧変換システム、例えばＰＣ、サーバのパワーサプライ、照明又はネットワークコミュニケーション電源等に大量に使用されている。多見されるＬＬＣ制御では、従来の二次側でフィードバックを調節し、二次側の一組のフォトカプラ及び比較器（Ｅｒｒｏｒ Ａｍｐｌｉｆｉｅｒ）により定電圧及び定電流制御を達成する。二次側回路中での主な用途は二次側の信号を一次側に送信するというものであり、フィードバック回路がこの信号によりパルス信号のデューティ比を調整することで、出力負荷が変動したときでも、該パワーサプライはなおも安定した電流及び電圧を出力負荷での使用に供することができるよう達成するものであって、負荷の変化に伴って、ＬＬＣの動作周波数にはマイナス関係の変化が現れて、変圧器電流には以下のような三つのモードで動作する可能性がある：動作周波数が共振周波数よりも低い時、変圧器の電流動作モードは不連続接続モード（ＤＣＭ）に移行する；動作周波数が共振周波数に等しい時、変圧器の電流動作モードは臨界モードに移行する；動作周波数が共振周波数よりも高い時、変圧器の電流動作モードは連続接続モード（ＣＣＭ）に移行する。従来の制御方法は二次側での部品点数、ＰＣＢ空間及びコストが増加するうえ、しかも二次側の検知回路では電力損失が生じて、待機電力消費に影響する。よって、数多くの当業者ではＰＳＲ（Ｐｒｉｍａｒｙ-Ｓｉｄｅ Ｒｅｇｕｌａｔｉｏｎ、一次側レギュレーション）に向けて発展してきている。
【０００３】
ＰＳＲは二次側のフィードバック回路を必要とせずとも、一次側を通じて出力負荷状況を制御することで、定電流及び定電圧制御を達成することができる。この制御方法は一次側変圧器の付加巻線上の電圧信号を検知することを通じて、パルス信号のデューティ比を制御することで出力負荷状況を安定化するというものである。
【０００４】
最も多用されるＰＳＲ制御の構造はＦｌｙｂａｃｋ（フライバック制御）というものであるが、Ｆｌｙｂａｃｋは臨界モード、又は不連続接続モードで動作しなければならず、一旦、連続接続モード（ＣＯＭ）に移行すると、ＦｌｙｂａｃｋのＰＳＲ制御は機能しなくなる。しかしＬＬＣ構造では周波数を変更することで出力の利得を変更する。よってＬＬＣの動作がどのモードになるかを制限することはできない。
従来の上記欠点に鑑み、発明者は前記欠点への研究改善の道に対して、ようやく本発明を発案するに至った。 
【発明の概要】
【発明が解決しようとする課題】
【０００５】
本発明の主な目的は、一次側で変圧器電流信号を取得し、出力電流を算出して、安定的に制御するＬＬＣ構造でのＰＳＲ電流制御システムを達成するところにある。
【０００６】
上記目的及び効果を達成するために、本発明が採用する技術手段は、
予め設けられたＬＬＣ変圧器の一次側に電気的に接続されて、電圧信号中の負電圧を正電圧に変換するとともに正電圧信号を出力する電圧極性変換回路と、
前記電圧極性変換回路に電気的に接続されており、正電圧信号を受取って電流入力信号を取得する電流信号サンプリング回路と、
前記電圧極性変換回路に電気的に接続されており、正電圧信号を受取るとともにゼロ点電流点を算出する電流クロスオーバー検知回路と、
前記ＬＬＣ変圧器の一次側に電気的に接続されており、ゼロ電流状態を検知するゼロ電流検知回路と、
前記電流信号サンプリング回路、電流クロスオーバー検知回路及びゼロ電流検知回路にそれぞれ電気的に接続されており、電流入力信号、ゼロ点電流点及びゼロ電流状態を受取って、ゼロ点電流点及びゼロ電流状態に基づいて、電流入力信号の最低電流レベルをゼロ点電流点にまで上昇させて、電流積分波形を生成するとともに積分後に出力電流を生成する電流積分回路と、を備えており、
これにより、電圧極性変換回路が前記ＬＬＣ変圧器の一次側から電圧信号を取得するとともに正電圧信号を出力した後、電流積分回路が、電流信号サンプリング回路が出力した電流入力信号、電流クロスオーバー検知回路が出力したゼロ点電流点、ゼロ電流検知回路が出力したゼロ電流状態をそれぞれ取得し、ゼロ点電流点及びゼロ電流状態に基づいて、電流入力信号の最低電流レベルをゼロ点電流にまで上昇させて、電流積分波形を生成するとともに積分後に出力電流を生成し、ＬＬＣ変圧器が、二次側の出力状態を制御するための出力電流を直接一次側から取得する。
【０００７】
上記構造によれば、前記ゼロ電流検知回路が前記ＬＬＣ変圧器に予め設けられたゼロ電位ノードに電気的に接続されている。
【０００８】
上記構造によれば、前記電流積分回路が予め設けられたＬＥＤ駆動回路に電気的に接続されている。
【０００９】
本発明の上記目的、効果及び特徴がより具体的に理解されるために、各々の図に基づいて以下の通り説明する。
【図面の簡単な説明】
【００１０】
【図１】本発明の実施例の回路ブロック図である。
【図２】図１における一部回路ブロックの概略図である。
【図３】本発明の連続接続モードでの動作波形図である。
【図４】図３における波形分解概略図である。
【図５】本発明の不連続接続モードでの動作波形図である。
【図６】本発明の臨界モードでの動作波形図である。
【発明を実施するための形態】
【００１１】
図１、図２を参照されたい。本発明の構造は主に以下を備えることが分かる。
【００１２】
予め設けられたＬＬＣ変圧器１の一次側に電気的に接続されて、電圧信号中の負電圧を正電圧に変換するとともに正電圧信号を出力する電圧極性変換回路２と、
前記電圧極性変換回路２に電気的に接続されており、正電圧信号を受取って電流入力信号を取得する電流信号サンプリング回路３と、
前記電圧極性変換回路２に電気的に接続されており、正電圧信号を受取るとともにゼロ点電流点を算出する電流クロスオーバー検知回路４と、
前記ＬＬＣ変圧器１の一次側に電気的に接続されており、ゼロ電流状態を検知する、つまり前記ＬＬＣ変圧器に予め設けられたゼロ電位ノードＺＣＤに電気的に接続されているゼロ電流検知回路５と、
前記電流信号サンプリング回路３、電流クロスオーバー検知回路４及びゼロ電流検知回路５にそれぞれ電気的に接続されており、電流入力信号、ゼロ点電流点及びゼロ電流状態を受取って、ゼロ点電流点及びゼロ電流状態に基づいて、電流入力信号の最低電流レベルをゼロ点電流点にまで上昇させて、電流積分波形を生成するとともに積分後に出力電流を生成し、出力電流を予め設けられたＬＥＤ駆動回路７に伝送する電流積分回路６と、を備えており、
これにより、電圧極性変換回路２が前記ＬＬＣ変圧器１の一次側から電圧信号を取得するとともに正電圧信号を出力した後、電流積分回路６が、電流信号サンプリング回路３が出力した電流入力信号、電流クロスオーバー検知回路４が出力したゼロ点電流点、ゼロ電流検知回路５が出力したゼロ電流状態をそれぞれ取得し、ゼロ点電流点及びゼロ電流状態に基づいて、電流入力信号の最低電流レベルをゼロ点電流にまで上昇させて、電流積分波形を生成するとともに積分後に出力電流を生成し、ＬＬＣ変圧器１が、二次側の出力状態を制御するための出力電流を直接一次側から取得して、ＬＥＤ駆動回路７を制御する。
【００１３】
図３ないし図６を同時に参照されたい。制御信号Ａの制御波形は、正・負の半周の周期に基づいて、正の周期Ｓ１と負の周期Ｓ２とに分けられ、サンプリング電流ＩＳＨは制御信号Ａに対応しており、実際の電流波形ｉｒは例えばオシロスコープで示すような電流波形図を示す；励磁電流ｉＭは、ＬＬＣ変圧器１動作時に生成したものに由来し、しかも出力電流ＩＯＵＴを算出し取得するためのものである；安定励磁電流ｉＭは、ＬＬＣ変圧器１が制御信号Ａを変換するとき、一つの安定出力状態にて一時的にカットオフする。そして、ＩＤ１、ＩＤ２は、最後の演算にて取得した結果であり、本発明が動作開始時において、
時点ｔ０〜ｔ１：サンプリング電流ＩＳＨは負電圧であるので、電圧極性変換回路２は負電圧を正電圧に変換する；
時点ｔ１〜ｔ２：正電圧に変換したサンプリング電流ＩＳＨを取得する；
時点ｔ２〜ｔ４：ゼロ電流検知回路５のゼロ電流検知点ＺＣＤでゼロ電流出力を検知し、サンプリング電流ＩＳＨはゼロ電流発生時の電流値に固定される；
時点ｔ３〜ｔ４：電流クロスオーバー検知回路４が制御信号Ａの周期変換を検知して、低電位から高電位に変換するが、このとき、出力電流ＩＯＵＴは正電圧状態である；   時点ｔ４〜ｔ５：同時に、出力電流が正の周期Ｓ１から負の周期Ｓ２に移行し、電圧極性変換回路２が負電圧のサンプリング電流を正電圧に変換する；
時点ｔ６〜ｔ０：このとき、電流積分回路６が時点ｔ０-ｔ６の電流積分波形を積分した後、出力電流ＩＯＵＴを生成するが、つまり電流積分回路６は正の半周Ｓ１の共振電流ＩＤ１、負の半周Ｓ２の共振電流ＩＤ２を積分して、ＬＬＣ変圧器１が、二次側の出力状態を制御するための出力電流を直接一次側から取得する；一つの完全な制御信号Ａの周期が終了すると、後続動作では前記時点ｔ０〜ｔ６を繰り返す。
【００１４】
上記動作を、図５、図６を照らし合わせたとき、波形の分解者は同じであるが、相違点は動作するモードになる。
【００１５】
上記をまとめるに、本発明のＬＬＣ構造でのＰＳＲ電流制御システムは間違いなく新規性及び進歩性を備えることから、ここに法に基づき発明特許を出願する。ただし上記説明した内容は、単に本発明の好ましい実施例の説明に過ぎず、本発明の技術手段及び範囲から延長する変化、付加、変更又は等価置換のいずれも本発明の特許請求の範囲内に収まる。
【符号の説明】
【００１６】
１  ＬＬＣ変圧器
２  電圧極性変換回路
３  電流信号サンプリング回路
４  電流クロスオーバー検知回路
５  ゼロ電流検知回路
６  電流積分回路
７  ＬＥＤ駆動回路
Ｓ１  正の周期
Ｓ２  負の周期
ｔ０、ｔ１、ｔ２、ｔ３、ｔ４、ｔ５、ｔ６  時点
ｉｒ  実際の電流波形
ｉＭ  励磁電流
ＩＤ１、ＩＤ２  共振電流
ＩＭ  安定励磁電流
ＩＳＨ  サンプリング電流
ＩＯＵＴ  出力電流
ＺＣＤ  ゼロ電流検知点
Ａ  制御信号
【図１】
2019080415.tif 000003
【図２】
2019080415.tif 000004
【図３】
2019080415.tif 000005
【図４】
2019080415.tif 000006
【図５】
2019080415.tif 000007
【図６】
2019080415.tif 000008
【手続補正書】
【提出日】平成30年10月29日(2018.10.29)
【手続補正１】
【補正対象書類名】明細書
【補正対象項目名】０００１
【補正方法】変更
【補正の内容】
【０００１】
本発明はＬＬＣ構造でのＰＳＲ電流制御システムに関し、特に、ＬＬＣ変圧器一次側の電流信号と、インダクタ電流の方向と断続状態を基にして、ＬＬＣ変圧器二次側の出力電流を計算することで、安定的に制御するＬＬＣ構造でのＰＳＲ電流制御システムを達成するものである。
【手続補正２】
【補正対象書類名】明細書
【補正対象項目名】０００５
【補正方法】変更
【補正の内容】
【０００５】
本発明の主な目的は、ＬＬＣ変圧器一次側の電流信号と、インダクタ電流の方向と断続状態を基にして、ＬＬＣ変圧器二次側の出力電流を計算することで、安定的に制御するＬＬＣ構造でのＰＳＲ電流制御システムを達成するところにある。
【手続補正３】
【補正対象書類名】明細書
【補正対象項目名】０００６
【補正方法】変更
【補正の内容】
【０００６】
上記目的及び効果を達成するために、本発明が採用する技術手段は、
予め設けられたＬＬＣ変圧器の一次側に電気的に接続されて、電圧信号中の負電圧を正電圧に変換するとともに正電圧信号を出力する電圧極性変換回路と、
前記電圧極性変換回路に電気的に接続されており、正電圧信号を受取って電流入力信号を取得する電流信号サンプリング回路と、
前記電圧極性変換回路に電気的に接続されており、正電圧信号を受取るとともにゼロ点電流点を算出する電流方向クロスオーバー検知回路と、
前記ＬＬＣ変圧器の一次側に電気的に接続されており、ゼロ電流状態を検知するゼロ電流検知回路と、
前記電流信号サンプリング回路、電流方向クロスオーバー検知回路及びゼロ電流検知回路にそれぞれ電気的に接続されており、電流入力信号、ゼロ点電流点及びゼロ電流状態を受取って、ゼロ点電流点及びゼロ電流状態に基づいて、電流入力信号の最低電流レベルをゼロ点電流点にまで上昇させて、電流積分波形を生成するとともに積分後に出力電流を生成する電流積分回路と、を備えており、
これにより、電圧極性変換回路が前記ＬＬＣ変圧器の一次側から電流が電気抵抗を
経由することで生じる電圧信号を取得し、電流が正と負の異なる位相を含むので、ゼロ電流検知回路はゼロ点電流点の検知を通じて電流の正と負の方向を判断することができ、ゼロ電流検知回路はこの正と負が変換する時間点を取得し、電圧極性変換回路はこの時間点で取得した電圧入力信号を電圧ゼロ点以上に上昇させ、即ちこの電圧の絶対値を取り、並びにその出力は正電圧信号であり、電流信号サンプリング回路を通じて、ＬＬＣ変圧器の二次側から一次側に反映されるインダクタ電流の断続状態を検知し、そして、電流積分回路が、電流信号サンプリング回路が出力した電流入力信号、電流方向クロスオーバー検知回路が出力したゼロ点電流点、ゼロ電流検知回路が出力したゼロ電流状態をそれぞれ取得し、ゼロ点電流点及びゼロ電流状態に基づいて、電流入力信号の最低電流レベルをゼロ点電流にまで上昇させて、電流積分波形を生成するとともに、ＬＬＣ変圧器の二次側のインダクタ電流が存在する時間内で電流積分回路が電流積分波形に対して積分を行い、積分後に出力電流を生成し、ＬＬＣ変圧器が、二次側の出力状態を制御するための出力電流を直接一次側から取得し、一次と二次コイルの比の換算を通じてＬＥＤ駆動回路を制御する。
【手続補正４】
【補正対象書類名】明細書
【補正対象項目名】００１２
【補正方法】変更
【補正の内容】
【００１２】
予め設けられたＬＬＣ変圧器１の一次側に電気的に接続されて、電圧信号中の負電圧を正電圧に変換するとともに正電圧信号を出力する電圧極性変換回路２と、
前記電圧極性変換回路２に電気的に接続されており、正電圧信号を受取って電流入力信号を取得する電流信号サンプリング回路３と、
前記電圧極性変換回路２に電気的に接続されており、正電圧信号を受取るとともにゼロ点電流点を算出する電流交流クロスオーバー検知回路４と、
前記ＬＬＣ変圧器１の一次側に電気的に接続されており、ゼロ電流状態を検知する、つまり前記ＬＬＣ変圧器に予め設けられたゼロ電位ノードＺＣＤに電気的に接続されているゼロ電流検知回路５と、
前記電流信号サンプリング回路３、電流方向クロスオーバー検知回路４及びゼロ電流検知回路５にそれぞれ電気的に接続されており、電流入力信号、ゼロ点電流点及びゼロ電流状態を受取って、ゼロ点電流点及びゼロ電流状態に基づいて、電流入力信号の最低電流レベルをゼロ点電流点にまで上昇させて、電流積分波形を生成するとともに積分後に出力電流を生成し、出力電流を予め設けられたＬＥＤ駆動回路７に伝送する電流積分回路６と、を備えており、
これにより、電圧極性変換回路２が前記ＬＬＣ変圧器１の一次側から電流が電気抵抗を経由することで生じる電圧信号を取得し、電流が正と負の異なる位相を含むので、ゼロ電流検知回路５はゼロ点電流点の検知を通じて電流の正と負の方向を判断することができ、ゼロ電流検知回路５はこの正と負が変換する時間点を取得し、電圧極性変換回路２はこの時間点で取得した電圧入力信号を電圧ゼロ点以上に上昇させ、即ちこの電圧の絶対値を取り、並びにその出力は正電圧信号であり、電流信号サンプリング回路３を通じて、ＬＬＣ変圧器１の二次側から一次側に反映されるインダクタ電流の断続状態を検知し、そして、電流積分回路６が、電流信号サンプリング回路３が出力した電流入力信号、電流方向クロスオーバー検知回路４が出力したゼロ点電流点、ゼロ電流検知回路５が出力したゼロ電流状態をそれぞれ取得し、ゼロ点電流点及びゼロ電流状態に基づいて、電流入力信号の最低電流レベルをゼロ点電流にまで上昇させて、電流積分波形を生成するとともに、ＬＬＣ変圧器の二次側のインダクタ電流が存在する時間内で電流積分回路６が電流積分波形に対して積分を行い、積分後に出力電流を生成し、ＬＬＣ変圧器１が、二次側の出力状態を制御するための出力電流を直接一次側から取得して、一次と二次コイルの比の換算を通じてＬＥＤ駆動回路７を制御する。
【手続補正５】
【補正対象書類名】明細書
【補正対象項目名】００１３
【補正方法】変更
【補正の内容】
【００１３】
図３ないし図６を同時に参照されたい。制御信号Ａの制御波形は、正・負の半周の周期に基づいて、正の周期Ｓ１と負の周期Ｓ２とに分けられ、サンプリング電流ＩＳＨは制御信号Ａに対応しており、実際の電流波形ｉｒは例えばオシロスコープで示すような電流波形図を示す；励磁電流ｉＭは、ＬＬＣ変圧器１動作時に生成したものに由来し、しかも出力電流ＩＯＵＴを算出し取得するためのものである；安定励磁電流ｉＭは、ＬＬＣ変圧器１が制御信号Ａを変換するとき、一つの安定出力状態にて一時的にカットオフする。そして、ＩＤ１、ＩＤ２は、最後に演算によって取得した結果であり、本発明が動作開始時において、
時点ｔ０〜ｔ１：サンプリング電流ＩＳＨは負電圧であるので、電圧極性変換回路２は負電圧を正電圧に変換する；
時点ｔ１〜ｔ２：正電圧に変換したサンプリング電流ＩＳＨを取得する；
時点ｔ２〜ｔ４：ゼロ電流検知回路５のゼロ電流検知点ＺＣＤでゼロ電流出力を検知し、サンプリング電流ＩＳＨはゼロ電流発生時の電流値に固定される；
時点ｔ３〜ｔ４：電流方向クロスオーバー検知回路４が制御信号Ａの周期変換を検知して、低電位から高電位に変換するが、このとき、出力電流ＩＯＵＴは正電圧状態である；   時点ｔ４〜ｔ５：同時に、出力電流が正の周期Ｓ１から負の周期Ｓ２に移行し、電圧極性変換回路２が負電圧のサンプリング電流を正電圧に変換する；
時点ｔ６〜ｔ０：このとき、電流積分回路６が時点ｔ０-ｔ６の電流積分波形を積分した後、出力電流ＩＯＵＴを生成するが、つまり電流積分回路６は正の半周Ｓ１の共振電流ＩＤ１、負の半周Ｓ２の共振電流ＩＤ２を積分して、ＬＬＣ変圧器１が、二次側の出力状態を制御するための出力電流を直接一次側から取得する；一つの完全な制御信号Ａの周期が終了すると、後続動作では前記時点ｔ０〜ｔ６を繰り返す。
【手続補正６】
【補正対象書類名】明細書
【補正対象項目名】００１６
【補正方法】変更
【補正の内容】
【００１６】
１                                        ＬＬＣ変圧器
２                                        電圧極性変換回路
３                                        電流信号サンプリング回路
４                                        電流方向クロスオーバー検知回路
５                                        ゼロ電流検知回路
６                                        電流積分回路
７                                        ＬＥＤ駆動回路
Ｓ１                                      正の周期
Ｓ２                                      負の周期
ｔ０、ｔ１、ｔ２、ｔ３、ｔ４、ｔ５、ｔ６  時点
ｉｒ                                      実際の電流波形
ｉＭ                                      励磁電流
ＩＤ１、ＩＤ２                            共振電流
ＩＭ                                      安定励磁電流
ＩＳＨ                                    サンプリング電流
ＩＯＵＴ                                  出力電流
ＺＣＤ                                    ゼロ電流検知点
Ａ                                        制御信号
【手続補正８】
【補正対象書類名】特許請求の範囲
【補正対象項目名】請求項１
【補正方法】変更
【補正の内容】
【請求項１】
ＬＬＣ構造でのＰＳＲ電流制御システムであって、ＬＬＣ変圧器一次側の電流信号と、インダクタ電流の方向と断続状態を基にして、ＬＬＣ変圧器二次側の出力電流を計算し、
予め設けられたＬＬＣ変圧器の一次側に電気的に接続されて、電圧信号中の負電圧を正電圧に変換するとともに正電圧信号を出力する電圧極性変換回路と、
前記電圧極性変換回路に電気的に接続されており、正電圧信号を受取って電流入力信号を取得する電流信号サンプリング回路と、
前記電圧極性変換回路に電気的に接続されており、正電圧信号を受取るとともにゼロ点電流点を算出する電流方向クロスオーバー検知回路と、
前記ＬＬＣ変圧器の一次側に電気的に接続されており、ゼロ電流状態を検知するゼロ電流検知回路と、
前記電流信号サンプリング回路、電流クロスオーバー検知回路及びゼロ電流検知回路にそれぞれ電気的に接続されており、電流入力信号、ゼロ点電流点及びゼロ電流状態を受取って、ゼロ点電流点及びゼロ電流状態に基づく電流積分回路と、を少なくとも備え、
これにより、電圧極性変換回路が前記ＬＬＣ変圧器の一次側から電流が電気抵抗を経由することで生じる電圧信号を取得し、ゼロ電流検知回路がゼロ点電流点の検知を通じて電流の正と負の方向を判断することができ、ゼロ電流検知回路がこの正と負が変換する時間点を取得し、電圧極性変換回路がこの時間点で取得した電圧入力信号を電圧ゼロ点以上に上昇させ、即ちこの電圧の絶対値を取り、並びにその出力が正電圧信号であり、電流信号サンプリング回路を通じて、ＬＬＣ変圧器の二次側から一次側に反映されるインダクタ電流の断続状態を検知し、そして、電流積分回路が、電流信号サンプリング回路が出力した電流入力信号、電流方向クロスオーバー検知回路が出力したゼロ点電流点、ゼロ電流検知回路が出力したゼロ電流状態をそれぞれ取得し、ゼロ点電流点及びゼロ電流状態に基づいて、電流入力信号の最低電流レベルをゼロ点電流にまで上昇させて、電流積分波形を生成し、ＬＬＣ変圧器の二次側のインダクタ電流が存在する時間内で電流積分回路が電流積分波形に対して積分を行い、積分後に出力電流を生成し、ＬＬＣ変圧器が、二次側の出力状態を制御するための出力電流を直接一次側から取得し、一次と二次コイルの比の換算を通じてＬＥＤ駆動回路を制御することを特徴とするＬＬＣ構造でのＰＳＲ電流制御システム。
【手続補正９】
【補正対象書類名】図面
【補正対象項目名】図１
【補正方法】変更
【補正の内容】
【図１】
2019080415.tif 000009